(57)【要約】【課題】金属製板材のプレス加工によるフレームの形成時に、同時にレール部分をフレームに一体的に形成し、部品点数の削減、及び組立作業の簡略化を実現できるようにする。【解決手段】金属製板材を素材としてプレス加工によって少なくとも前面が開放した筐体形状に形成されたフレーム４を備えた。フレーム４には、ＨＤＤ１０１を搭載したＨＤＤトレイ１１０が、挿入方向Ｙに沿って前面から挿入される。フレーム４の２側面４２Ａ，４２Ｂのそれぞれには、上下２段のレール４３が挿入方向Ｙの１／２以上の範囲にわたって形成されている。ＨＤＤトレイ１１０の挿入時に、ＨＤＤトレイ１１０の底面における挿入方向Ｙに平行な両端部の底面がレール４３の上面に当接する。【選択図】  図１
2016051490.tif 000002
【特許請求の範囲】
【請求項１】
金属製板材を素材として筐体形状に形成されたフレームであってＨＤＤトレイが所定の挿入方向に沿って挿入されるフレームを備え、
前記フレームは、前記ＨＤＤトレイの挿入方向に平行な２側面において前記ＨＤＤトレイの両端部が対向する部分を内側に折り曲げて形成されたレールを備えたＨＤＤトレイの取付構造。
【請求項２】
前記レールは、前記２側面における上下方向について、前記ＨＤＤトレイが搭載するＨＤＤの背面から露出したコネクタが所定の接続位置に対向する位置に形成された請求項１に記載のＨＤＤトレイの取付構造。
【請求項３】
前記レールは、前記挿入方向における２側面の長さの１／２以上にわたって前記ＨＤＤトレイの底面における挿入方向に平行な両端部に上面が当接する請求項１又は２に記載のＨＤＤトレイの取付構造。
【請求項４】
前記フレームは、前記レールの前記挿入方向における両端部の位置に、前記ＨＤＤトレイの上面における挿入方向に平行な両端部に当接するガイド部材を内側に折り曲げて形成した請求項１乃至３の何れかに記載のＨＤＤトレイの取付構造。
【請求項５】
請求項１乃至４の何れかに記載のＨＤＤトレイの取付構造を有する前記フレームを備え、
前記フレーム内に挿入されたＨＤＤトレイが載置するＨＤＤに対して情報の書き込み及び読み出しを行う情報処理端末装置。
【発明の詳細な説明】
【技術分野】
【０００１】
この発明は、情報処理端末装置の制御ユニットにおいてＨＤＤ（ハードディスクドライブ）を搭載したＨＤＤトレイの取付構造、及びこの取付構造を備えた情報処理端末装置に関する。
【背景技術】
【０００２】
電子キャッシュレジスタやＰＯＳ端末等の情報処理端末装置は、保存すべきデータの記録媒体としてＨＤＤを備えている。ＨＤＤを情報処理端末装置内に取り付ける方法として、ＨＤＤを載置したＨＤＤトレイを情報処理端末装置の制御ユニットに設けられたフレーム内に挿入することで、ＨＤＤのコネクタが制御ユニットのマザーボード側のコネクタに接続されるようにしたものがある（例えば、特許文献１参照。）。
【０００３】
フレームは、前面が開放した中空筐体であり、内部の両側面に前後方向に沿ってレールが形成されている。ＨＤＤトレイは、レール上を摺動しつつフレームの前面から内部に挿入される。
【先行技術文献】
【特許文献】
【０００４】
【特許文献１】特開２０１１−０３５２０８号公報
【発明の概要】
【発明が解決しようとする課題】
【０００５】
しかし、従来の情報処理端末装置では、金属製板材のプレス加工で形成されたフレームの内側面に、別部材のレールを固定していたため、部品点数の増加や組立作業の煩雑化を招く問題があった。
【０００６】
この発明の目的は、金属製板材のプレス加工によるフレームの形成時に、同時にレール部分をフレームに一体的に形成し、部品点数の削減、及び組立作業の簡略化を実現できるＨＤＤトレイの取付構造、及びこの取付構造を備えた情報処理端末装置を提供することにある。
【課題を解決するための手段】
【０００７】
この発明のＨＤＤトレイの取付構造は、金属製板材を素材として筐体形状に形成されたフレームであってＨＤＤトレイが所定の挿入方向に沿って挿入されるフレームが、ＨＤＤトレイの挿入方向に平行な２側面においてＨＤＤトレイの両端部が対向する部分を内側に折り曲げて形成されたレールを備えたことを特徴とする。
【０００８】
ＨＤＤトレイの挿入をガイドするレールが、フレームの２側面の一部を内側に折り曲げて形成される。金属製板材のプレス加工によって筐体形状のフレームを成形する際に、同時にレールが形成され、部品点数が削減されるとともに、レールをフレームに取り付ける作業が不要になる。
【０００９】
この構成において、レールは、２側面における上下方向について、ＨＤＤトレイが搭載するＨＤＤの背面から露出したコネクタが所定の接続位置に対向する位置に形成することが好ましい。レールをガイドとしてフレーム内にＨＤＤトレイを挿入することでＨＤＤトレイに搭載されたＨＤＤのコネクタを、装置側のコネクタ等の所定の接続部材に接続することができる。
【００１０】
レールは、挿入方向における２側面の長さの１／２以上にわたってＨＤＤトレイの底面における挿入方向に平行な両端部に当接するものであることが好ましい。ＨＤＤトレイを安定してフレーム内に挿入することができる。
【００１１】
挿入方向におけるレールの両端部の位置に、ＨＤＤトレイの上面における挿入方向に平行な両端部に当接するガイド部材を内側に折り曲げて形成することが好ましい。フレームに対するＨＤＤトレイの挿入開始時と終了時とにおいて、ＨＤＤトレイの挿入方向に平行な両端部をガイド部材とレールとで上下に挟むことができ、ＨＤＤトレイの挿入位置を正確に規定することができる。
【発明の効果】
【００１２】
この発明によれば、金属製板材のプレス加工によるフレームの形成時に、同時にレール部分をフレームに一体的に形成することができ、部品点数の削減、及び組立作業の簡略化を実現できる。
【図面の簡単な説明】
【００１３】
【図１】この発明の実施形態に係るＨＤＤトレイの取付構造が適用されるＰＯＳ端末装置の外観図である。
【図２】同ＰＯＳ端末装置の組立図である。
【図３】この発明の第１の実施形態に係るＨＤＤトレイの取付構造を示す要部の外観図である。
【図４】は、この発明の第２及び第３の実施形態に係るＨＤＤトレイの取付構造を示す側面断面図である。
【図５】同第３の実施形態に係るＨＤＤトレイの取付構造を適用したＰＯＳ端末装置の制御ユニットの外観図である。
【図６】同第３の実施形態に係るＨＤＤトレイの取付構造を適用したフレームの側面図である。
【発明を実施するための形態】
【００１４】
以下に、この発明の実施形態に係るＨＤＤトレイの取付構造が適用される情報処理端末装置についてＰＯＳ端末装置を例にあげて、図面を参照しつつ説明する。
【００１５】
図１に示すように、ＰＯＳ端末装置１０は、本体１、上側前カバー２、下側前カバー３から構成される中空筐体構造を呈している。本体１は、上面に店舗側ディスプレイ１１、顧客側ディスプレイ１２及びプリンタ１３を備え、前面側に開口部１０２が形成されている。上側前カバー２は、キーボード１４を一体的に備えている。下側前カバー３は、上側前カバー２の下方に位置する。
【００１６】
店舗側ディスプレイ１１は、表示面を前面側に存在する店舗従業員に対向するように配置され、店舗作業員に表示すべき情報を表示する。顧客側ディスプレイ１２は、表示面を背面側に存在する顧客に対向するように配置され、顧客に表示すべき情報を表示する。プリンタ１３は、レシートを印字する。キーボード１４は、店舗従業員による販売時点情報の入力操作を受け付ける。本体１は、前面に周辺機器としてのカードリーダを備えることもできる。カードリーダは、店舗従業員が保持する従業員カード及び顧客が所有する顧客カードの挿入を受け付け、従業員カード及び顧客カードに記録されているカードデータを読み取る。
【００１７】
ＰＯＳ端末装置１０は、キーボード１４から入力された販売時点情報を内部の記録媒体に記録し、通信ケーブルを介して外部のホスト装置に送信する。
【００１８】
図２に示すように、本体１は、前面側に開口部１０１を有する中空筐体である。上側前カバー２は本体１の前面側に上方から着脱自在に装着される。下側前カバー３は、本体１の前面側に前方から着脱自在にされている。制御ユニット２１は、この発明の第１の内部機器であり、開口部１０２を経由して前方から本体１内に挿入される。下側前カバー３は、本体１の前面側で電源ユニット２２を収納する。電源ユニット２２は、この発明の第２の内部機器であり、上部に放熱板２２１を備え、下側前カバー３に上方から載置される。上側前カバー２及び下側前カバー３は、開口部１０１を閉塞する状態で本体１の前面側に装着される。上側前カバー２は、本体１に下側前カバー３を装着した後に、本体１に装着される。
【００１９】
制御ユニット２１は、板金で構成されたシャーシ２１０内に配置されており、前面にコネクタ等の接続部材を備えている。制御ユニット２１は、店舗側ディスプレイ１１、顧客側ディスプレイ１２、プリンタ１３、キーボード１４の動作を制御するとともに、電源ユニット２２から電源の供給を受け、さらに店舗側ディスプレイ１１、顧客側ディスプレイ１２、プリンタ１３、キーボード１４に電源を供給する。
【００２０】
制御ユニット２１は、前面にスロット４１Ａ，４１Ｂを形成したフレーム４を備えている。フレーム４には、スロット４１Ａ，４１ＢからＨＤＤトレイが挿入される。ＨＤＤトレイは、記憶媒体としてのＨＤＤを搭載する。
【００２１】
図３に示すように、この発明の第１の実施形態に係るＨＤＤトレイの取付構造では、金属製板材を素材としてプレス加工によって少なくとも前面が開放した筐体形状に形成されたフレーム４を備えている。フレーム４は、一例として上下２段の位置にＨＤＤトレイ１１０を収納する。なお、図において、背面及び上面は省略している。背面及び上面は、同一又は別の金属製板材を素材としてプレス加工によって形成できる。
【００２２】
フレーム４には、ＨＤＤ１０１を搭載したＨＤＤトレイ１１０が、挿入方向Ｙに沿って前面から挿入される。挿入方向Ｙに直交する方向において、ＨＤＤ１０１の幅はＨＤＤトレイ１１０の幅よりも小さく、ＨＤＤトレイ１１０の挿入方向Ｙに平行な両端部はＨＤＤ１０１の外側に露出している。
【００２３】
フレーム４の挿入方向Ｙの長さは、ＨＤＤトレイ１１０の長さに以上にされている。フレーム４の背面には、ＨＤＤ１０１の背面から露出したコネクタ１０１Ａが装着されるべき装置側のコネクタ１２０が、一例として上下２段に取り付けられている。
【００２４】
フレーム４の２側面４２Ａ，４２Ｂのそれぞれには、上下２段のレール４３が挿入方向Ｙの１／２以上の範囲にわたって形成されている。上下方向におけるレール４３の位置は、上面にＨＤＤトレイ１１０の底面が当接した状態で、ＨＤＤトレイ１１０に搭載されたＨＤＤ１０１のコネクタ１０１Ａが、コネクタ１２０に対向する位置にされている。
【００２５】
ＨＤＤトレイ１１０をその底面における挿入方向Ｙに平行な両端部の底面をレール４３の上面に当接させてフレーム４の前面側から背面側に向かって挿入方向Ｙに沿って挿入すると、ＨＤＤトレイ１１０に搭載されたＨＤＤ１０１のコネクタ１０１Ａがコネクタ１２０に装着される。ＨＤＤトレイ１１０は、フレーム４の前面側に露出することなくフレーム４内の適正な位置に収納される。
【００２６】
レール４３によってＨＤＤ１０１のコネクタ１０１Ａをコネクタ１２０に真っ直ぐ接続することができ、コネクタ１０１Ａ及びコネクタ１２０における断線や破損を未然に防止できる。
【００２７】
レール４３は、２側面４２Ａ，４２Ｂのそれぞれにおける一部を内側に向けて下方に折り曲げて形成されている。板状の２側面４２Ａ，４２Ｂのそれぞれの所定の位置に、互いに直交して連続する３方向の切込を入れた後、３方向の切込で包囲された部分を内側に押し込むことでレール４３が形成される。このレール４３の形成は、フレーム４を筐体形状に形成するプレス加工時に同時に行うことができる。切込時の切り屑以外に切除される部分がなく、レール４３の形成に資源の無駄を生じることがない。
【００２８】
フレーム４の２側面４２Ａ，４２Ｂのそれぞれには、レール４３が折り曲げられた部分に開口が形成され、フレーム４内部の通気性を高めてＨＤＤ１０１の放熱効果を向上させることができる。
【００２９】
なお、それぞれのレール４３は、必ずしも全長にわたって連続して形成する必要はなく、挿入方向Ｙに沿って複数の部分に分割して形成することもできる。また、一方又は両方のレール４３を、２側面４２Ａ，４２Ｂのそれぞれにおける一部を内側に向けて上方に折り曲げて形成することもできる。
【００３０】
図４に示すように、この発明の第２の実施形態に係るＨＤＤトレイの取付構造では、挿入方向Ｙにおけるレール４３の少なくとも両端部で、フレーム４内に挿入されるＨＤＤトレイ１１０の上面における挿入方向Ｙに平行な両端部分に当接するガイド部材４４，４５を備えている。ガイド部材４４，４５は、レール４３と同様にして形成される。
【００３１】
フレーム４内に対するＨＤＤトレイ１１０の挿入開始時には、前面側のガイド部材４４とレール４３とによってＨＤＤトレイ１１０の両端部が上下から挟持され、ＨＤＤトレイ１１０の挿入位置を正確に特定できる。フレーム４内に対するＨＤＤトレイ１１０の挿入終了時には、背面側のガイド部材４５とレール４３とによってＨＤＤトレイ１１０の両端部が上下から挟持され、ＨＤＤ１０１側のコネクタ１０１Ａを装置側のコネクタ１２０により確実に装着することができる。
【００３２】
ガイド部材４４，４５とレール４３とによってＨＤＤ１０１のコネクタ１０１Ａをコネクタ１２０に真っ直ぐ接続することができ、コネクタ１０１Ａ及びコネクタ１２０における断線や破損を未然に防止できる。
【００３３】
図５及び図６に示すように、この発明の第３の実施形態に係るＨＤＤトレイの取付構造では、挿入方向Ｙにおけるレール４３の両端部の外側に、ＨＤＤトレイ１１０における挿入方向Ｙに平行な両端部分の上下面に当接するガイド部材４６，４７を備えている。
【００３４】
ガイド部材４６は、挿入方向Ｙに沿う帯状を呈する上側ガイド４６Ａと下側ガイド４６Ｂとからなる。上側ガイド４６Ａ及び下側ガイド４６Ｂは、挿入方向Ｙに沿う帯状を呈している。一例として上側ガイド４６Ａは、下面の位置が挿入方向Ｙの上流端側で中間部分よりも下流端側の基準高さに比較して高くされている。下側ガイド４６Ｂは、上面の位置が挿入方向Ｙの全域にわたって同一の高さにされているが、上面の位置を挿入方向Ｙの上流端側で中間部分よりも下流端側に比較して低くすることもできる。上側ガイド４６Ａの下面の基準高さは、下側ガイド４６Ｂの上面との間隔が、ＨＤＤトレイ１１０の厚さに等しくなる高さである。
【００３５】
ガイド部材４６は、２側面４２Ａ，４２Ｂに上側ガイド４６Ａの上下面及び下側ガイド４６Ｂの上下面に対応する切込を形成した後、上側ガイド４６Ａ及び下側ガイド４６Ｂに対応する部分を内側に押し込むことで形成できる。この作業は、フレーム４を筐体形状に形成するプレス加工時に同時に行うことができる。
【００３６】
上側ガイド４６Ａと下側ガイド４６Ｂとの上下方向の間隔は、挿入方向Ｙの上流側で中間部分より下流側よりも広くされており、ＨＤＤトレイ１１０の挿入開始時にＨＤＤトレイ１１０の前端を適正な位置に容易に導くことができる。ガイド部材４７をガイド部材４６と同一の形状とすることにより、ＨＤＤトレイ１１０の挿入終了時にＨＤＤトレイ１１０の前端を適正な位置に容易に導くことができる。ガイド４６によっても、ガイド部材４４，４５とレール４３とによる効果と同様に、図示しないコネクタにおける断線や破損を未然に防止できる。
【００３７】
なお、ガイド部材４６の上側ガイド４６Ａ及び下側ガイド４６Ｂは、平面視において円弧状を呈している。２側面４２Ａ，４２Ｂに形成された上側ガイド４６Ａ及び下側ガイド４６Ｂの挿入方向Ｙに直交する方向の最短の間隔をＨＤＤ１０１の幅よりも僅かに小さくすることで、フレーム４内におけるＨＤＤトレイ１１０の平面方向の位置を正確に規定できる。
【００３８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３９】
１−本体
４−フレーム
１０−ＰＯＳ端末装置（情報処理端末装置）
４３−レール
４４〜４７−ガイド部材
１０１−ＨＤＤ
１１０−ＨＤＤトレイ
【図１】
2016051490.tif 000003
【図２】
2016051490.tif 000004
【図３】
2016051490.tif 000005
【図４】
2016051490.tif 000006
【図５】
2016051490.tif 000007
【図６】
2016051490.tif 000008